(57)【要約】【課題】バックアップを行うことなく個人情報の管理を安全な形で実現すると共に、故障、紛失または盗難直前までの個人情報をそのまま継続して使用可能なオンライン情報管理型携帯端末システムを提供する。【解決手段】ＤＢサーバ５５０は、携帯端末１を使用するために必要な個人情報が蓄積された個人情報ＤＢ５５２を備える。ユーザの通話操作により、携帯端末１のデータ制御部１３は、個人情報ＤＢ５５２に蓄積された電話帳の読出要求をＤＢサーバ５５０へ送信する。ＤＢサーバ５５０から電話帳データを受信すると、記憶部１６に一時的に記憶する。ユーザが電話番号を選択して通話ボタンを押下すると、携帯端末１のデータ制御部１３は、発信履歴書込要求をＤＢサーバ５５０へ送信する。ＤＢサーバ５５０の個人情報管理部５５１は、発信履歴書込要求を受信すると、発信履歴を個人情報ＤＢ５５２に書き込む。また、携帯端末１の電話制御部１４は、携帯端末２へ呼び出しの制御データを送信し、通話を開始する。【選択図】図１
2006050420.tif 000002
【特許請求の範囲】
【請求項１】
携帯電話を使用するユーザの個人情報を管理し、電話回線網を介して通話サービスを提供すると共にインターネットを介してインターネットサービスを提供するオンライン情報管理型携帯端末システムであって、
電話番号等の電話帳データを含む個人情報が蓄積されたデータベース、及び、当該データベースを管理し、携帯電話との間でインターネットを介して情報の送受信を行う手段を有するデータベースサーバと、
ユーザを認証する手段、前記データベースの個人情報を読み出すための要求を、インターネットを介してデータベースサーバへ送信し、当該要求に対する個人情報を受信する手段、当該受信した個人情報を一時的に記憶する手段、及び、個人情報に基づいて他の携帯端末との間で通話を行う手段を有する携帯端末とを備えたことを特徴とするオンライン情報管理型携帯端末システム。
【発明の詳細な説明】
【技術分野】
【０００１】
本発明は、携帯端末を使用するために必要な個人情報の管理技術に関し、特に、個人情報を携帯端末に蓄積することなく電話サービスやインターネットサービスを実現することが可能な情報管理技術に関する。
【背景技術】
【０００２】
従来、携帯電話機である携帯端末は、電話や電子メール等の各種機能により、ユーザ間のコミュニケーションを図るための有効なツールとして利用されている。携帯端末を購入するユーザは、電話や電子メール等の各種機能を利用するため、必要な個人情報を携帯端末のメモリに蓄積する必要がある。このような個人情報には、例えば、電話番号等の電話帳（アドレス）データ、送受信されたメールの内容を示すメールデータ、カメラ機能により撮影した写真等の画像データ、動画データ、着信時に鳴動する着信音データ、スケジュールデータ、ゲーム等のアプリケーションデータ等がある。
【０００３】
また、このような個人情報を管理及び保護する手段には、携帯端末にパソコンを接続し、個人情報をバックアップするための専用ソフトウェアを実行するものや、ネットワークを介して個人情報をバックアップする個人情報管理システムもある（例えば、特許文献１を参照。）。
【０００４】
また、個人情報を管理及び保護する手段には、携帯電話通信事業者（キャリア）の有料のオプションサービスとして、携帯電話機に蓄積された個人情報の一部を専用のサーバにバックアップするものもある。さらに、携帯端末にメモリカードを装着し、ユーザがデータを当該カードに保存する方法もある。
【０００５】
【特許文献１】特開２００４−１８７２２８号公報
【発明の開示】
【発明が解決しようとする課題】
【０００６】
しかしながら、個人情報を携帯端末に蓄積するのみでは、携帯端末が紛失、盗難または故障した場合に、個人情報であるユーザの大切な資産を喪失することになってしまう。
【０００７】
この場合、個人情報をバックアップする手段を用いることにより、携帯端末が紛失等した場合であっても個人情報を再現することができ、資産の喪失を回避することができる。しかし、ユーザがバックアップの操作を行うための技術、知識または環境を有していない場合、バックアップすることを忘れている場合、または敢えてバックアップを行わない場合には、個人情報が携帯端末にのみ蓄積されている状態となり、大切な資産を喪失する可能性のある危険な状態になってしまうという問題があった。実際、キャリアや携帯端末のメーカは、通信サービスや携帯端末を販売した後に、個人情報の管理及び保護をユーザに委ねているのが現状である。
【０００８】
また、携帯端末が紛失または盗難した場合には、携帯端末に蓄積された個人情報が漏洩する可能性があり、第三者が携帯電話を不正使用する可能性があるという問題もあった。
【０００９】
そこで、本発明は上記の問題に鑑みてなされたものであり、その目的は、全てのユーザに対して、バックアップを行うことなく個人情報の管理を安全な形で委ねることができると共に、個人情報の大切な資産を適切に管理及び保護することが可能なオンライン情報管理型携帯端末システムを提供することにある。また、他の目的は、携帯端末が紛失または盗難した場合であっても、個人情報の漏洩及び第三者による不正使用を回避可能なオンライン情報管理型携帯端末システムを提供することにある。
【課題を解決するための手段】
【００１０】
上記の問題を解決するために、本発明のオンライン情報管理型携帯端末システムは、携帯電話を使用するユーザの個人情報を管理し、電話回線網を介して通話サービスを提供すると共にインターネットを介してインターネットサービスを提供するオンライン情報管理型携帯端末システムであって、電話番号等の電話帳データを含む個人情報が蓄積されたデータベース、及び、当該データベースを管理し、携帯電話との間でインターネットを介して情報の送受信を行う手段を有するデータベースサーバと、ユーザを認証する手段、前記データベースの個人情報を読み出すための要求を、インターネットを介してデータベースサーバへ送信し、当該要求に対する個人情報を受信する手段、当該受信した個人情報を一時的に記憶する手段、及び、個人情報に基づいて他の携帯端末との間で通話を行う手段を有する携帯端末とを備えたことを特徴とする。
【発明の効果】
【００１１】
本発明によれば、データベースサーバは、携帯端末が使用する個人情報が蓄積されたデータベースを備え、携帯端末は、そのデータベースから必要な個人情報をインターネットを介して読み出すようにしたから、携帯端末に個人情報を蓄積する必要がない。これにより、全てのユーザに対して、バックアップを行うことなく個人情報の管理を安全な形で委ねることができると共に、個人情報の大切な資産を適切に管理及び保護することが可能となる。また、携帯端末が紛失または盗難した場合であっても、個人情報の漏洩及び第三者による不正使用を回避することが可能となる。
【発明を実施するための最良の形態】
【００１２】
以下、本発明の実施の形態について図面を参照して詳細に説明する。
〔システム構成〕
図１は、本発明の実施の形態に係るオンライン情報管理型携帯端末システムの全体構成図である。このオンライン情報管理型携帯端末システムは、電話帳データ等の個人情報を携帯端末に蓄積する代わりにＤＢ（データベース）サーバに蓄積しておき、ユーザがＤＢサーバに格納された個人情報を、携帯端末を用いて管理すると共に、ユーザの携帯端末への操作に応じてまたは通話の呼び出しに応じて、ＤＢサーバから必要な個人情報を読み出すことにより、携帯端末の機能を実現する。
【００１３】
図１を参照して、このオンライン情報管理型携帯端末システムは、音声電波の送受信を行いユーザ間の通話を実現する携帯端末１，２、個人情報を常に蓄積している従来の携帯端末３、固定電話４、固定電話４の回線交換を行う交換機５、携帯端末１との間で無線通信を行う無線ネットワーク３００、携帯端末２及び従来の携帯端末３との間で無線通信を行う無線ネットワーク４００、無線ネットワーク３００と接続され、携帯端末のＩＰネットワークサービスを提供する携帯電話ＩＰネットワーク５００、無線ネットワーク４００と接続され、同様のＩＰネットワークサービスを提供する携帯電話ＩＰネットワーク６００、無線ネットワーク３００と接続され、携帯端末の通話サービスを提供するコアネットワーク１００、及び、無線ネットワーク４００と接続され、同様の通話サービスを提供するコアネットワーク２００を備えている。また、携帯電話ＩＰネットワーク５００，６００は、インターネット６を介して接続され、コアネットワーク１００，２００及び交換機５は、電話回線網７を介して接続される。尚、無線ネットワーク３００，４００、コアネットワーク１００，２００、及び携帯電話ＩＰネットワーク５００，６００は、キャリアが管理するネットワークインフラである。
【００１４】
無線ネットワーク３００は、携帯端末１との間で無線通信を確立するため制御及び無線通信を行う基地局３０１と、携帯端末１の所在管理等を行う基地局制御装置３０２とを備えている。同様に、無線ネットワーク４００も、無線ネットワーク３００と同等の機能を有し、基地局４０１及び基地局制御装置４０２を備えている。また、携帯電話ＩＰネットワーク５００は、無線ネットワーク３００の基地局制御装置３０２との間で情報の送受信を行い、インターネット６を介してＩＰパケットによる携帯電話ＩＰネットワークサービスを提供するインターネットワーキングユニット５１０と、携帯端末１を使用するユーザを認証する認証サーバ５２０と、携帯端末１からの要求に従って携帯端末１の画面表示やキー入力等を行うための画面制御データを送信し、携帯端末１と他のサーバ５２０，５４０，５５０との間の通信を中継するＷｅｂサーバ５３０と、電子メール機能を実現するメールサーバ５４０と、携帯端末１を使用するユーザの個人情報が蓄積された個人情報ＤＢ５５２を有するＤＢサーバ５５０とを備えている。同様に、携帯電話ＩＰネットワーク６００も、携帯電話ＩＰネットワーク５００と同等の機能を有し、インターネットワーキングユニット６１０と、認証サーバ６２０と、Ｗｅｂサーバ６３０と、メールサーバ６４０と、個人情報ＤＢ６５２を有するＤＢサーバ６５０とを備えている。
【００１５】
また、コアネットワーク１００は、無線ネットワーク３００の回線交換を行う携帯電話交換機１１０と、電話回線網７におけるコアネットワーク２００の回線交換を行う関門交換機１２０と、通話サービスに加入した加入者情報が格納されている加入者情報ＤＢ１３０とを備えている。同様に、コアネットワーク２００も、コアネットワーク１００と同等の機能を有し、携帯電話交換機２１０と、関門交換機２２０と、加入者情報ＤＢ２３０とを備えている。
【００１６】
このようなオンライン情報管理型携帯端末システムの下で、携帯端末１，２が、無線ネットワーク３００、コアネットワーク１００、電話回線網７、コアネットワーク２００及び無線ネットワーク４００を介して音声情報の送受信を行うことにより、ユーザは互いに通話を行う。携帯端末１及び従来の携帯端末３も同様である。また、携帯端末２及び従来の携帯端末３は、無線ネットワーク４００及びコアネットワーク２００を介して音声情報の送受信を行うことにより、ユーザは互いに通話を行う。一方、携帯端末１の各種機能を実現するために必要な個人情報は、携帯電話ＩＰネットワーク５００においてＤＢサーバ５５０の個人情報ＤＢ５５２に蓄積されている。携帯端末１は、無線ネットワーク３００及び携帯電話ＩＰネットワーク５００を介して、個人情報ＤＢ５５２から必要な個人情報を読み出す。同様に、携帯端末２の各種機能を実現するために必要な個人情報は、携帯電話ＩＰネットワーク６００においてＤＢサーバ６５０の個人情報ＤＢ６５２に格納されている。携帯端末２は、無線ネットワーク４００及び携帯電話ＩＰネットワーク６００を介して、個人情報ＤＢ６５２から必要な個人情報を読み出す。
【００１７】
図２は、図１に示した携帯端末１の機能を説明するためのブロック図である。この携帯端末１は、入力表示処理部１１、指紋入力処理部１２、データ制御部１３、電話制御部１４、個人情報編集部１５、記憶部１６及び使用制御部１７を備えている。入力表示処理部１１は、ポータルサイトとして常に携帯端末１を使用するユーザによりカスタマイズされた個人情報を、ユーザの目的や用途に応じて表示するブラウザにより、画面表示及びキー入力の各処理を行う。指紋入力処理部１２は、携帯端末１を使用するユーザを認証するために必要なユーザの指紋を入力する。データ制御部１３は、無線ネットワーク３００及び携帯電話ＩＰネットワーク５００を介して、個人情報ＤＢ５５２へアクセスするための通信電波を送信する。電話制御部１４は、ユーザ間の通話を実現する音声電波を送信する。個人情報編集部１５は、個人情報ＤＢ５５２に蓄積された個人情報の修正、削除等の編集、及び新規に登録する個人情報の編集を行う。記憶部１６は、個人情報ＤＢ５５２から読み出した個人情報を一時的に記憶する。使用制御部１７は、携帯端末１が紛失または盗難された場合に、第三者による携帯端末１の使用を不可能にするためのロック機能を実現する。同様に、携帯端末２も携帯端末１と同等の機能を有する。
【００１８】
図３を参照して、認証サーバ５２０について説明する。この認証サーバ５２０は、ＩＤ変換／認証部５２１及び認証ＩＤＤＢ５２２を備えている。ＩＤ変換／認証部５２１は、携帯端末１から無線ネットワーク３００を介して指紋データを受信し、所定の変換ルールに従って指紋データを個人（ユーザ）ＩＤに変換する。また、認証ＩＤＤＢ５２２を検索して、当該個人ＩＤが格納されているか否かをチェックし、ユーザ認証を行う。認証ＩＤＤＢ５２２は、ユーザ認証のために必要な個人ＩＤ等が格納されている。
【００１９】
図４を参照して、ＤＢサーバ５５０について説明する。図４（１）は、図１に示した携帯電話ＩＰネットワーク５００のＤＢサーバ５５０の機能を説明するためのブロック図である。このＤＢサーバ５５０は、個人情報管理部５５１及び個人情報ＤＢ５５２を備えている。個人情報管理部５５１は、携帯端末１から無線ネットワーク３００を介して、個人情報ＤＢ５５２に蓄積された各種の個人情報の読み出し要求を受信し、所定の個人情報を携帯端末１へ送信する。また、個人情報ＤＢ５５２の書き込み要求等を受信した場合は、その要求に従い、書き込み、削除等の処理を行う。
【００２０】
図４（２）は、個人情報ＤＢ５５２の構成を示す図である。個人情報ＤＢ５５２には、携帯端末を使用するユーザ毎に、電話帳データ、着発信履歴データ、着信音データ、メールデータ、画像データ、動画データ、スケジュールデータ、各種設定データ、その他のデータが個人情報として蓄積されている。電話帳データは、通話先のユーザ情報、通話先の携帯電話の電話番号等により構成される。着発信履歴データは、通話先へ通話を要求した日時、通話先から通話が要求された日時、通話相手のユーザ情報等により構成される。着信音データは、通話元から通話要求を着信した場合の呼び出し音データ、メールデータは、電子メールの送受信履歴及び内容等により構成される。各種設定データは、ユーザが携帯端末を使用する場合に必要な設定データや、後述する携帯端末１の使用制御部１７によるロック機能を実現するために必要な設定時間等により構成される。
【００２１】
〔動作〕
次に、図５を参照して、図１に示したオンライン情報管理型携帯端末システムの動作について説明する。このフロー図は、携帯端末１のユーザが携帯端末２のユーザと通話を行う場合に、携帯端末１のユーザを認証し、通話を開始してから終了するまでの一連の動作を示している。尚、携帯端末１を使用するユーザの個人情報は、個人情報ＤＢ５５２に蓄積されており、個人情報ＤＢ５５２の電話帳データには、発信先の通話相手のユーザ情報及び携帯端末２の電話番号が登録されているものとする。また、携帯端末２を使用するユーザの個人情報は、個人情報ＤＢ６５２に蓄積されており、個人情報ＤＢ６５２の電話帳データには、発信元の通話相手のユーザ情報及び携帯端末１の電話番号が登録され、着信音データには、携帯端末１を使用するユーザから通話があった場合に、携帯端末２を使用するユーザが携帯端末１に対しその設定した着信音のデータが登録されているものとする。
【００２２】
携帯端末１の指紋入力処理部１２がユーザの指紋データを入力すると、データ制御部１３は、当該指紋データを、無線ネットワーク３００を介して認証サーバ５２０へ送信する（ステップＳ５０１）。認証サーバ５２０のＩＤ変換／認証部５２１は、指紋データを受信すると、指紋データを個人ＩＤに変換し、認証ＩＤＤＢ１２２を検索し、当該個人ＩＤが存在するか否かをチェックしてユーザを認証する。そして、ＩＤ変換／認証部５２１は、ユーザ認証が正常である場合は、認証ＯＫを携帯端末１へ送信する（ステップＳ５０２）。認証が正常でない場合は、認証ＮＧを携帯端末１へ送信する。携帯端末１のデータ制御部１３が認証結果（認証ＯＫまたはＮＧ）を受信すると、入力表示処理部１１は、画面に認証結果を表示する。認証結果がＯＫである場合は、携帯端末１は、ＤＢサーバ５５０へログインした状態になる。
【００２３】
ユーザの通話操作により、携帯端末１のデータ制御部１３は、電話帳読出要求をＤＢサーバ５５０へ送信する（ステップＳ５０３）。ＤＢサーバ５５０の個人情報管理部５５１は、電話帳読出要求を受信すると、個人情報ＤＢ５５２を検索し、携帯端末１の電話帳データを取得し、携帯端末１へ送信する（ステップＳ５０４）。携帯端末１のデータ制御部１３は、電話帳データを受信すると、当該電話帳データを記憶部１６に一時的に記憶する。また、入力表示処理部１１は、電話帳データを画面に表示する。
【００２４】
ユーザが、携帯端末１の画面に表示された電話帳データから携帯端末２の電話番号を選択して通話ボタンを押下すると、携帯端末１のデータ制御部１３は、発信履歴書込要求をＤＢサーバ５５０へ送信する（ステップＳ５０５）。尚、携帯端末１の画面に表示された電話帳データに通話したい相手の電話番号が存在しない場合、ユーザは、電話番号をキー操作により入力する。この場合、データ制御部１３は、入力表示処理部１１を介して電話番号を入力すると、データ制御部１３は、発信履歴書込要求をＤＢサーバ５５０へ送信する。ＤＢサーバ５５０の個人情報管理部５５１は、発信履歴書込要求を受信すると、通話先のユーザ情報や電話番号等を個人情報ＤＢ５５２に書き込む。尚、書き込みに失敗した場合は、その失敗情報を個人情報ＤＢ５５２に書き込む。
【００２５】
また、ステップ５０５と同時に、携帯端末１の電話制御部１４は、電話回線網７を介して携帯端末２へ、携帯端末１の電話番号を含む呼び出しの制御データを送信する（ステップＳ５０６）。携帯端末２の電話制御部が、呼び出しの制御データを受信すると、通話元の電話番号を認識し、携帯端末２のデータ制御部は、着信履歴書込要求を携帯電話ＩＰネットワーク６００のＤＢサーバ６５０へ送信する（ステップＳ５０７）。ＤＢサーバ６５０の個人情報管理部は、着信履歴書込要求を受信すると、個人情報ＤＢ６５２を検索し、携帯端末１の電話番号に対するユーザに関するデータを取得し、電話番号と共にこれらのデータを着信履歴データとして個人情報ＤＢ６５２へ書き込む。尚、書き込みに失敗した場合は、その失敗情報を個人情報ＤＢ６５２に書き込む。
【００２６】
また、携帯端末２のデータ制御部は、発信者データ読出要求をＤＢサーバ６５０へ送信する（ステップＳ５０８）。ＤＢサーバ６５０の個人情報管理部は、発信者データ読出要求を受信すると、個人情報ＤＢ６５２を検索し、携帯端末１の電話番号に基づいて発信者データを取得し、当該発信者データを携帯端末２へ送信する（ステップＳ５０９）。携帯端末２のデータ制御部は、発信者データを受信すると、当該発信者データを記憶部に一時的に記憶する。また、入力表示処理部は、当該発信者データを画面に表示する。尚、個人情報ＤＢ６５２に携帯端末１の発信者データが蓄積されていない場合は、ＤＢサーバ６５０は、発信者データ不存在を携帯端末２へ送信し、携帯端末２のデータ制御部を介して入力表示処理部は、発信番号である携帯端末１の電話番号を画面に表示する。
【００２７】
また、携帯端末２のデータ制御部は、着信音データ読出要求をＤＢサーバ６５０へ送信する（ステップＳ５１０）。ＤＢサーバ６５０の個人情報管理部は、着信音データ読出要求を受信すると、個人情報ＤＢ６５２を検索し、前記発信者データに基づいて着信音データを取得し、当該着信音データを携帯端末２へ送信する（ステップＳ５１１）。携帯端末２のデータ制御部は、着信音データを受信すると、当該着信音データを記憶部に一時的に記憶する。また、電話制御部は、当該着信音データに基づいて着信音を鳴動させる。そして、携帯端末１と携帯端末２との間で通話が開始する（ステップＳ５１２）。
【００２８】
携帯端末１と携帯端末２との間の通話が終了すると、後述する携帯端末１の使用制御部１７は、所定のタイミングにて記憶部１６に一時的に記憶された個人情報を削除する。同様に、携帯端末２の使用制御部も、所定のタイミングにて記憶部に一時的に記憶された個人情報を削除する。
【００２９】
以上、新規な携帯端末１，２間の通話フローを説明したが、携帯端末１と従来の携帯端末３との間においても通話が可能であり、携帯端末１は図５に示した同様の処理を行う。すなわち、図５のステップ５０１〜５０６に示した処理を行う。そして、従来の携帯端末３は、携帯端末１から呼び出しの制御データを受信すると、従来の携帯端末３内に蓄積された個人情報に基づいて、発信者データを表示し、所定の着信音を鳴動させ、通話が開始する。
【００３０】
次に、図２に示した携帯端末１に備えた個人情報編集部１５の動作について説明する。まず、携帯端末１を使用するユーザが個人情報の編集要求をキー操作により入力し、編集対象の個人情報を選択すると、携帯端末１のデータ制御部１３は、個人情報の編集要求をＤＢサーバ５５０へ送信する。ＤＢサーバ５５０の個人情報管理部５５１は、個人情報の編集要求を受信すると、個人情報ＤＢ５５２を検索して編集対象の個人情報を取得し、携帯端末１へ送信する。携帯端末１のデータ制御部１３が編集対象の個人情報を受信すると、個人情報を記憶部１６に一時的に記憶し、ユーザは記憶部１６に記憶された個人情報に対してデータの削除、追加、修正等の編集を行う。また、新規に個人情報を作成する場合も、記憶部１６を用いて行う。そして、編集または新規に作成された個人情報は、データ制御部１３によりＤＢサーバ５５０の個人情報管理部５５１へ送信され、個人情報管理部５５１により個人情報ＤＢ５５２に書き込まれる。尚、個人情報を複写する場合には、データは携帯端末１内で複写されるのではなく、個人情報ＤＢ５５２内において複写されることになる。
【００３１】
また、個人情報編集部１５は、ユーザのキー操作等により生成されたメールデータ、画像データ、動画データ、スケジュールデータ等を、一旦記憶部１６に記憶する。そして、ユーザがこれらのデータの保存要求をキー操作により入力すると、携帯端末１のデータ制御部１３は、記憶部１６からデータを読み出して、データ保存要求をＤＢサーバ５５０へ送信する。ＤＢサーバ５５０の個人情報管理部５５１は、データ保存要求を受信すると、受信したメールデータ等の個人情報を個人情報ＤＢ５５２に書き込み、書込ＯＫを携帯端末１へ送信する。携帯端末１のデータ制御部１３が書込ＯＫを受信すると、使用制御部１７が、記憶部１６に記憶されているデータを削除する。
【００３２】
次に、図６を参照して、図２に示した携帯端末１に備えた使用制御部１７の動作について説明する。まず、携帯端末１を使用するユーザが携帯端末１の電源をＯＮすると、使用制御部１７は、携帯端末１をロック状態にする（ステップＳ６０１）。そして、図５に示したステップ５０５及び５０６の指紋認証処理を経て（ステップＳ６０２）、認証ＯＫの場合には、携帯端末１のロック状態を解除し、ログインが可能となる（ステップＳ６０３，６０４）。一方、認証ＮＧの場合には、使用制御部１７は携帯端末１をロック状態に維持する（ステップＳ６０１）。使用制御部１７は、携帯端末１へのキー操作がない時点からタイマを起動する（ステップＳ６０５）。使用制御部１７は、予め設定した設定時間を越えてタイムアウトを検出すると（ステップＳ６０６）、携帯端末１をロック状態にする（ステップＳ６０１）。この場合、使用制御部１７は、記憶部１６に一時的に記憶された個人情報を削除する。一方、タイムアウトしない限り、個人情報を使用することができる（ステップＳ６０７）。このように、使用制御部１７は、携帯端末１へのキー操作が予め設定した設定時間の間なされなかった場合に、携帯端末１をロック状態にし、携帯端末１の使用を禁止すると共に、記憶部１６に一時的に記憶された個人情報を削除する。
【００３３】
以上のように、本発明の実施の形態によれば、電話帳データ等の個人情報を携帯端末１，２に蓄積する代わりにＤＢサーバ５５０，６５０の個人情報ＤＢ５５２，６５２にそれぞれ蓄積しておき、携帯端末１，２は、ユーザ認証を行い、個人情報が必要なタイミングにて、個人情報ＤＢ５５２，６５２へそれぞれアクセスして読み出し、通話を開始するようにした。これにより、全てのユーザに対して、バックアップを行うことなく個人情報の管理を安全な形で委ねることができると共に、個人情報の大切な資産を適切に管理及び保護することができる。また、携帯端末１，２が紛失または盗難した場合であっても、個人情報が携帯端末１，２に蓄積されていないから、個人情報の漏洩及び第三者による不正使用を回避することができる。
【００３４】
つまり、ユーザは、個人情報の管理についてキャリアとの間で契約することにより、個人情報を携帯電話ＩＰネットワーク５００に備えたＤＢサーバ５５０の個人情報ＤＢ５５２に蓄積し、それを利用するサービスの提供を受けることができる。これにより、個人情報をバックアップするという煩わしさがなくなり、携帯端末１が故障、紛失または盗難した場合には個人情報を復元する必要もなく、携帯端末を再度購入するだけで、故障直前までの個人情報をそのまま継続して使用することができる。
【００３５】
また、本発明の実施の形態によれば、携帯端末１の指紋入力処理部１２は、携帯端末１を使用するユーザを認証するようにし、使用制御部１７は、ユーザによるキー操作が一定時間なされなかった場合に、携帯端末１をロック状態にして使用を禁止するようにした。これにより、携帯端末１が紛失または盗難した場合であっても、第三者による携帯端末１の盗用の恐れがなくなる。したがって、このようなオンライン情報管理型携帯端末システムのサービスを利用することにより、個人情報を確実に保護することができ、ユーザは安心して携帯端末１を使用することができる。
【００３６】
また、携帯端末１，２と無線ネットワーク３００，４００、携帯電話ＩＰネットワーク５００，６００及びインターネット６との間の通信について、ＳＳＬ（暗号化通信）を用いることにより、個人情報を確実に保護することができる。
【００３７】
以上、実施の形態を挙げて本発明を説明したが、本発明は上記実施の形態に限定されるものではなく、その技術思想を逸脱しない範囲で種々変形可能である。
【００３８】
尚、携帯端末１，２、認証サーバ５２０，６２０、及びＤＢサーバ５５０，６５０は、ＣＰＵ、ＲＡＭ等の揮発性の記憶媒体、ＲＯＭ等の不揮発性の記憶媒体、キーボードやポインティングデバイス等の入力装置、画像やデータを表示する表示装置、及び外部の装置と通信をするためのインタフェースを備えたコンピュータによってそれぞれ構成される。この場合、携帯端末１に備えた入力表示処理部１１、指紋入力処理部１２、データ制御部１３、電話制御部１４、個人情報編集部１５、記憶部１６及び使用制御部１７（携帯端末２においても同じ）、認証サーバ５２０に備えたＩＤ変換／認証部５２１（認証サーバ６２０においても同じ）、ＤＢサーバ５５０に備えた個人情報管理部５５１（ＤＢサーバ６５０においても同じ）の各処理は、当該処理を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００３９】
【図１】本発明の実施の形態に係るオンライン情報管理型携帯端末システムの全体構成図である。
【図２】図１の携帯端末の機能を説明するためのブロック図である。
【図３】図１の認証サーバの機能を説明するためのブロック図である。
【図４】図１のＤＢサーバの機能を説明するためのブロック図、及び個人情報ＤＢの構成を示す図である。
【図５】本発明の実施の形態に係るオンライン情報管理型携帯端末システムの動作を説明するためのフロー図である。
【図６】図２の携帯端末に備えた使用制御部の動作を説明するためのフロー図である。
【符号の説明】
【００４０】
１，２  携帯端末
３  従来の携帯端末
４  固定電話
５  交換機
６  インターネット
７  電話回線網
１１  入力表示処理部
１２  指紋入力処理部
１３  データ制御部
１４  電話制御部
１５  個人情報編集部
１６  記憶部
１７  使用制御部
１００，２００  コアネットワーク
１１０，２１０  携帯電話交換機
１２０，２２０  関門交換機
１３０，２３０  加入者ＤＢ
３００，４００  無線ネットワーク
３０１，４０１  基地局
３０２，４０２  基地局制御装置
５００，６００  携帯電話ＩＰネットワーク
５１０，６１０  インターネットワーキングユニット
５２０，６２０  認証サーバ
５２１  ＩＤ変換／認証部
５２２  認証ＩＤＤＢ
５３０，６３０  Ｗｅｂサーバ
５４０，６４０  メールサーバ
５５０，６５０  ＤＢサーバ
５５１  個人情報管理部
５５２，６５２  個人情報ＤＢ
【図１】
2006050420.tif 000003
【図２】
2006050420.tif 000004
【図３】
2006050420.tif 000005
【図４】
2006050420.tif 000006
【図５】
2006050420.tif 000007
【図６】
2006050420.tif 000008